(57)【要約】【課題】剥離層の上に受像層を積層した構造で、受像層までインクが浸透した場合でも情報の判読が困難となる個人情報保護シート及び個人情報保護伝票を提供する。【解決手段】基材１０と、基材１０の一方の面側の少なくとも一部に形成された剥離層２０と、剥離層２０の上に積層された受像層３０とを有し、受像層３０の上に印字によって形成される情報表示部４０と剥離層２０との色差ΔＥ１は、情報表示部４０と受像層３０との色差ΔＥ２よりも小さい。【選択図】図１
2008290385.tif 000002
【特許請求の範囲】
【請求項１】
基材と、
前記基材の一方の面側の少なくとも一部に形成された剥離層と、
前記剥離層の上に積層された受像層とを有し、
前記受像層の上に印字によって形成される情報表示部と前記剥離層との色差は、前記情報表示部と前記受像層との色差よりも小さいことを特徴とする個人情報保護シート。
【請求項２】
基材と、
前記基材の一方の面側の少なくとも一部に形成された剥離層と、
前記基材と前記剥離層との間に設けられた視認性低下層と、
前記剥離層の上に積層された受像層とを有し、
前記剥離層は透明であり、
前記受像層の上に印字によって形成される情報表示部と前記視認性低下層との色差が、前記情報表示部と前記受像層との色差よりも小さいことを特徴とする個人情報保護シート。
【請求項３】
基材と、
前記基材の一方の面側の少なくとも一部に形成された剥離層と、
前記基材と前記剥離層との間に設けられた図柄層と、
前記剥離層の上に積層された受像層とを有し、
前記剥離層は透明であることを特徴とする個人情報保護シート。
【請求項４】
基材と、
前記基材の一方の面側に形成された剥離層と、
前記剥離層の上に積層された受像層とを有し、
前記剥離層は透明であり、
前記受像層の上に印字によって形成される情報表示部と前記基材との色差が、前記情報表示部と前記受像層との色差よりも小さいことを特徴とする個人情報保護シート。
【発明の詳細な説明】
【技術分野】
【０００１】
本発明は、個人情報を表示するための層として、剥離、除去可能な層を設けた個人情報保護シートに関する。
【背景技術】
【０００２】
従来、住所や宛名などの個人情報が記載された郵便物等を廃棄する際は、廃棄物からの個人情報の漏洩を防ぐために、個人情報が記載された部分又は郵便物全体を手で細かくちぎったりハサミやシュレッダーで裁断したりしなければならないといった問題があった。特に、個人情報が特定できない程度にまで手作業で（手やハサミで）細かく断片化することは、極めて手間のかかる作業である。
【０００３】
しかも、郵便物の中には、印刷物などを収容した樹脂フィルム製の袋に宛先ラベル（配達先の住所や受取人の氏名が記載されたラベル）を貼り付けたものもある。このような郵便物の場合は、樹脂フィルムごと宛先ラベルを手で細かくちぎったり、ハサミやシュレッダーで裁断するわけにはいかないため、宛先ラベルを樹脂フィルムから剥がさねばならない。しかし、宛先ラベルの脱落は郵便事故の原因となりうるため、宛先ラベルは樹脂フィルムに強固に貼り付けられるのが一般的である。このため、宛先ラベルを樹脂フィルム製の袋から剥がすことは容易ではない。
【０００４】
このような問題を解決することを目的とした従来技術として、特許文献１に開示される「個人情報保護シート」がある。特許文献１に開示される発明は、基材の少なくとも一部に形成した剥離層の上に受像層を形成した個人情報保護シートである。この個人情報保護シートにおいては、擦ることによって剥離層から受像層を剥離させることが可能であるため、情報表示部を形成するインキを受像層とともに脱落させることにより、受像層上に表示されていた情報を判読不能とできる。
【特許文献１】特開２００６−２８５２０３号公報
【発明の開示】
【発明が解決しようとする課題】
【０００５】
しかし、特許文献１に開示される発明では、万一情報表示部を形成するインキが受像層に浸透して剥離層にまで到達してしまった場合には、受像層を剥離させたとしても、その下に現れる剥離層に情報が残ってしまうため、情報が判読不能とはならなくなってしまう。
【０００６】
本発明は係る問題に鑑みてなされたものであり、剥離層の上に受像層を積層した構造で、受像層までインキが浸透した場合でも情報の判読が困難となる個人情報保護シートを提供することを目的とする。
【課題を解決するための手段】
【０００７】
上記目的を達成するため、本発明は、第１の態様として、基材と、基材の一方の面側の少なくとも一部に形成された剥離層と、剥離層の上に積層された受像層とを有し、受像層の上に印字によって形成される情報表示部と剥離層との色差は、情報表示部と受像層との色差よりも小さいことを特徴とする個人情報保護シートを提供するものである。
【０００８】
また、上記目的を達成するため、本発明は、第２の態様として、基材と、基材の一方の面側の少なくとも一部に形成された剥離層と、基材と剥離層との間に設けられた視認性低下層と、剥離層の上に積層された受像層とを有し、剥離層は透明であり、受像層の上に印字によって形成される情報表示部と視認性低下層との色差が、情報表示部と受像層との色差よりも小さいことを特徴とする個人情報保護シートを提供するものである。
【０００９】
また、上記目的を達成するため、本発明は、第３の態様として、基材と、基材の一方の面側の少なくとも一部に形成された剥離層と、基材と剥離層との間に設けられた図柄層と、剥離層の上に積層された受像層とを有し、剥離層は透明であることを特徴とする個人情報保護シートを提供するものである。
【００１０】
また、上記目的を達成するため、本発明は、第４の態様として、基材と、基材の一方の面側に形成された剥離層と、剥離層の上に積層された受像層とを有し、剥離層は透明であり、受像層の上に印字によって形成される情報表示部と基材との色差が、情報表示部と受像層との色差よりも小さいことを特徴とする個人情報保護シートを提供するものである。
【発明の効果】
【００１１】
本発明によれば、剥離層の上に受像層を積層した構造で、受像層までインキが浸透した場合でも情報の判読が困難となる個人情報保護シートを提供できる。
【発明を実施するための最良の形態】
【００１２】
〔第１の実施形態〕
図１に、本実施形態に係る個人情報保護シートの構成を示す。この個人情報保護シートは、基材１０の上に、剥離層２０として表面不活性なエネルギー線硬化型樹脂層、受像層３０として凝集力の低い樹脂層を順に積層したシートである。受像層３０は剥離層２０との密着性が低く、基材と略平行な力を局所的に加えると（コインや爪等で擦る）剥離層２０との界面から剥がれる。受像層３０の表面に公知の印字方法（インキ、トナーによるプリンタでの形成や、印刷や、鉛筆などでの手書きによる形成、カーボン、ノンカーボンからなる複写方式等）で形成した情報表示部４０によって個人情報（住所や名前、電話番号等）を表示した個人情報保護シートでは、受像層３０をコインや爪等で擦ることで、受像層３０の表面に形成された個人情報（情報表示部４０）も一緒に剥離させることができる。
【００１３】
本実施形態においては剥離層２０と受像層３０とは異なる色を呈する。具体的には、剥離層２０と情報表示部４０との色差（色空間中に位置付けられる二つの色の距離）をΔＥ１、受像層３０と情報表示部４０との色差をΔＥ２とした時に、ΔＥ１＜ΔＥ２の関係を満たすように剥離層２０及び受像層３０が着色されている。ここで任意の色空間を適用可能であるが、人間の視覚に近いＣＩＥＬＡＢ色空間などが好適である。
【００１４】
情報表示部４０によって受像層３０の上に表示される情報を人間が視認する際には、情報表示部４０の色と受像層３０の色とに差があることによって、情報表示部４０の存在を知覚することとなる。一方、情報表示部４０のインキが剥離層２０まで浸透した状態で受像層３０を除去した場合には、情報表示部４０によって表示されていた情報は、浸透したインキによって表示された情報表示部４０’の色と剥離層２０の色との差によって、人間に知覚されることとなる。
ここで、浸透したインキによって表示された情報表示部４０’よりも情報表示部４０の方が濃く鮮明であるため、情報表示部４０’と剥離層２０との色差ΔＥ１’は、情報表示部４０と剥離層２０との色差ΔＥ１以下であり、ΔＥ１≧ΔＥ１’の関係となる。情報表示部４０’と剥離層２０との色差ΔＥ１’の測定は実際には困難であるが、上記の関係からΔＥ２＞ΔＥ１であれば、常にΔＥ２＞ΔＥ１’となるので、実用上は測定が容易なΔＥ１を用いて、ΔＥ２＞ΔＥ１の関係を満たすようにすればよい。
このように、剥離層２０と情報表示部４０との色差ΔＥ１を受像層３０と情報表示部４０との色差ΔＥ２よりも小さくすることにより、情報表示部４０によって表示される情報は受像層３０の上に表示される場合よりも、剥離層２０の上に表示される場合の方が視認しにくくなる。
【００１５】
ここで、説明の簡略化のためにモノクロの場合を考える。
情報表示部４０の色が受像層３０よりも濃い色の場合として、情報表示部４０が黒色、受像層３０が白色、剥離層２０が灰色とすると、受像層３０上の情報は、黒色と白色との色の差によって認識される。一方、剥離層２０まで浸透したインキによって表示される情報は、黒色と灰色との色の差によって認識される。この場合、黒色と灰色との色差の方が黒色と白色との色差よりも小さいため、剥離層２０まで浸透したインキによって表示される情報は、受像層３０の上に表示された情報よりも視認しにくい。
【００１６】
逆に、情報表示部４０の色が受像層３０よりも薄い色の場合として、情報表示部４０が白色、受像層３０が黒色、剥離層２０が灰色とすると、受像層３０上の情報は、白色と黒色との色の差によって認識される。一方、剥離層２０まで浸透したインキによって表示される情報は、白色と灰色との色の差によって認識される。この場合、白色と灰色との色差の方が白色と黒色との色差よりも小さいため、剥離層２０まで浸透したインキによって表示される情報は、受像層３０の上に表示された情報よりも視認しにくい。
【００１７】
このように、情報表示部４０の色が受像層３０よりも濃くても薄くても、剥離層２０と情報表示部４０との色差ΔＥ１を受像層３０と情報表示部４０との色差ΔＥ２よりも小さくすることにより、剥離層２０の上に表示される情報を受像層３０の上に表示される場合よりも視認しにくくできる。
【００１８】
浸透したインキによって剥離層２０の上に表示される情報を視認しにくくする効果は、ΔＥ１がΔＥ２よりも小さければΔＥ１の値にかかわらず得られるが、ΔＥ１を十分小さくして、浸透したインキによって剥離層２０の上に表示される情報を視認不可能とすることが好ましい。
【００１９】
ここでは説明の簡略化のためにモノクロの場合を例として説明したが、カラーの場合も同様であることは言うまでもない。
【００２０】
上記の説明においては剥離層２０や受像層３０そのものの色と情報表示部４０との色差について考えたが、これらの層が光を透過する場合（層厚が薄くて下の層や基材が透けて見える場合など）には、基材１０上の剥離層２０の色と情報表示部４０の色との色差や、基材１０及び剥離層２０上の受像層３０の色と情報表示部４０の色との色差をΔＥ１やΔＥ２の代わりに用いれば良い。すなわち、剥離層２０や受像層３０そのものの色ではなく、積層した状態での色を基にして情報表示部４０との色差を求めれば良い。
【００２１】
なお、以下の説明では、受像層３０の上に個人情報を表示する情報表示部４０が形成済みである場合を例とするが、情報表示部４０が未形成の状態であっても良い。この場合には、ユーザは個人情報保護シートに公知の印字方法にて上記の色差の関係を有する情報表示部４０を形成し、任意の情報を表示可能であることは言うまでもない。
【００２２】
図１に示したように、個人情報保護シートは、用紙や封筒、葉書、ラベル台紙等といった個人情報を記載するための基材１０と剥離層２０と受像層３０とから構成され、基材１０上に剥離層２０、受像層３０の順で積層されている。受像層３０の上には、公知の印字方法で形成された情報表示部４０によって個人情報が表示されている。基材１０には、オフセット印刷、スクリーン印刷、グラビア印刷、フレキソ印刷などの手法によって剥離層２０及び受像層３０を積層させるが、これらの層を特別に厚く形成する必要が無いのであれば、コスト面からオフセット印刷、フレキソ印刷が好適である。
【００２３】
［基材］
基材１０は、公知の材料の中から適宜選択することができる。例えば、紙（上質紙、コート紙、クラフト紙等）、ポリエステルフィルム（ポリエチレンテレフタレート、ポリエチレンテレフタレート／イソフタレート共重合体等）、ポリオレフィンフィルム（ポリエチレン、ポリプロピレン、ポリメチルペンテン等）、プラスチックフィルム（ポリ塩化ビニルフィルム、エチレンビニルアルコール共重合体フィルム、ポリカーボネートフィルム、ポリアミドフィルム等）、ポリオレフィンからなる合成紙等が挙げられる。
また、基材１０の下に粘着層（図示せず）を設けることで他の媒体（封筒など）に貼着することが可能となる。この場合には、粘着層の下に剥離紙を設けて受像層／剥離層／基材／粘着層／剥離紙という層構成とすることで、ラベルとして用いることもできる。
【００２４】
［剥離層］
剥離層２０は、ウレタンアクリレート、エポキシアクリレート等の紫外線硬化型樹脂や電子線硬化型樹脂を使用する。また、他の材料としては、溶剤型熱可塑性樹脂（塩化ビニル・酢酸ビニル共重合樹脂、アクリル酸エステル・スチレン共重合体樹脂、ニトロセルロース、マレイン酸樹脂等）、水溶性樹脂（ポリビニルアルコール、ポリビニルピロピドン等）、又は各種のアクリル共重合樹脂やポリウレタン等を単独、またはこれらにシリコン樹脂等の剥離剤を添加して使用可能である。
【００２５】
また、剥離層２０の基となる混合物の組成は、表１に示す通りであり、各材料の含有率は、あわせて１００％になれば、適宜変更可能である。
また、各材料を使用する目的は以下の通りである。
モノマーは、反応性希釈剤として使用し、混合物の粘度を調整する役割を果たす。合成樹脂類は、剥離層２０を構成する樹脂成分の主体となる。反応開始剤は、混合物の硬化（乾燥）反応を促す。剥離剤は、剥離層２０に剥離特性を持たせる。着色顔料は、剥離層２０を着色する際に用いられる。
【００２６】
【表１】
2008290385.tif 000003
【００２７】
［受像層］
受像層３０は、紫外線硬化型樹脂等を使用する。受像層３０の基となる混合物の組成は、表２に示す通りであり、各材料の含有率は、あわせて１００％になれば、適宜変更可能である。
また、各材料の使用目的は以下の通りである。
顔料は、体質顔料及び着色顔料としての性質を持ったものである。体質顔料としての性質とは、バインダー材料にチキソトロピー（応力がかかると粘度が下がる特性）を持たせるものであり、着色顔料としての性質とは、バインダー材料を着色するものである。着色顔料の一例としては、チタンホワイトが挙げられる。モノマーは、反応性希釈剤として使用され、粘度を調整する役割を果たす。合成樹脂類は、受像層３０を構成する樹脂成分の主体となる。反応開始剤は、混合物の硬化（乾燥）反応を促すものである。なお、受像層３０の基となる混合物には剥離剤を含有させてもよく、剥離剤を含有させることによって剥離層２０からの剥離性を高められる。
【００２８】
【表２】
2008290385.tif 000004
【００２９】
図２は、受像層３０が剥離層２０から削り取られる様子を示した図である。
図２に示すように、コインや爪等で受像層３０を削ることで（換言すると、所定値以上の圧力を加えながら受像層３０を擦ることで）、受像層３０の上に形成されている情報表示部４０も同時に剥離層２０から剥離、除去される。なお、受像層３０と剥離層２０との密着性は、剥離層２０や受像層３０のそれぞれの基となる混合物の組成によって調整可能である。
【００３０】
また、受像層３０は、フレキソ印刷で形成する場合には、上記表２に示した混合物とは組成の異なるインキを用いて形成することもできる。
フレキソ印刷で受像層３０を形成する場合にその基となるフレキソインキの構成を表３に示す。バインダー樹脂は、乾燥後の受像層３０の主成分となる樹脂である。体質顔料は、受像層３０にチキソトロピー（応力がかかると粘度が下がる特性）を持たせる。マット剤は、受像層３０の表面を所定の粗さとするために添加される。水は、寡多によってフレキソインキの粘度が変化する。着色顔料は、受像層３０を着色するために添加される。
【００３１】
【表３】
2008290385.tif 000005
【００３２】
フレキソ印刷によって受像層３０をオフセット印刷よりも厚く（１０μｍ程度）形成すれば、コインや爪などの接する部分が厚さ方向に大きくなるため（換言すると、コインや爪などによって受像層３０に横方向の力を強く加えられるため）、受像層３０を剥離層２０から剥離させやすくなる。
【００３３】
本実施形態にかかる個人情報保護シートは、所定値以上の圧力を加えながら受像層３０を擦ることで、受像層３０が剥離層２０から剥離・除去されるため、受像層３０に情報表示部４０によって個人情報が表示されていた場合は、同時に剥離・除去される。よって、個人情報が表示された個人情報保護シートを廃棄する際には、簡単な操作で個人情報の判読を不能とすることができ、廃棄物からの個人情報の漏洩を防止できる。
【００３４】
仮に情報表示部４０を形成するインキが受像層３０に浸透し、剥離層２０にまで到達して情報表示部４０’が形成されていたとしても、図３に示すように、剥離層２０と情報表示部４０’との色差は受像層３０と情報表示部４０との色差よりも小さいため、個人情報は判読しにくい。剥離層２０と情報表示部４０との色差を十分小さくすることにより、廃棄物からの個人情報の漏洩を防止できる。さらに、受像層３０を剥離させた領域の外に情報表示部４０の一部がはみ出ていたとしても、剥離層２０との色差が小さいため個人情報を判読しにくい。
【００３５】
〔第２の実施形態〕
本発明を好適に実施した第２の実施形態について説明する。
図４に、本実施形態に係る個人情報保護シートの構成を示す。第１の実施形態に係る個人情報保護シートとは基材１０と剥離層２０との間に視認性低下層５０が設けられている点で相違する。
【００３６】
基材１０、剥離層２０、受像層３０及び情報表示部の原料は、第１の実施形態と同様である。ただし、本実施形態においては、剥離層２０には着色顔料が含まれていないか、含まれていても微量であるため、剥離層２０は透明又は略透明である。
【００３７】
視認性低下層５０と情報表示部４０との色差ΔＥ３は、受像層３０と情報表示部４０との色差ΔＥ２よりも小さくなるように、受像層３０、情報表示部４０及び視認性低下層５０の各層の色が選択されている。
【００３８】
情報表示部４０を形成するインキが受像層３０に浸透して剥離層２０まで到達し、情報表示部４０’が形成された場合、情報表示部４０もろとも受像層３０を除去すると、情報表示部４０’が露出する。この際、剥離層２０は透明であるため、その下にある視認性低下層５０の色が透けて見えるようになる。よって、剥離層２０を透過して見える視認性低下層５０の色と情報表示部４０’の色との色差は、受像層３０の色と情報表示部４０との色差よりも小さくなり、情報表示部４０’によって剥離層２０上に表示される情報は判読しにくい。
【００３９】
なお、ここでは基材１０の上に視認性低下層５０を設けた場合を例としたが、図５に示すように視認性低下層５０は、剥離層２０と基材１０との間の任意の位置に設けることが可能である。ここで、剥離層２０と視認性低下層５０との間に層が存在する場合には、それらの層は透明でなければならない。一方、視認性低下層５０と基材１０との間に層が存在する場合には、それらの層は任意の色で良い。
【００４０】
また、図６に示すように、情報表示部４０との色差ΔＥ３’がΔＥ２よりも小さくなるように基材１０そのものが着色されていても同様の効果が得られる。この場合には、基材１０と剥離層２０との間に透明又は略透明の任意の層を設けることが可能である。
【００４１】
〔第３の実施形態〕
本発明を好適に実施した第３の実施形態について説明する。
図７に、本実施形態に係る個人情報保護シートの構成を示す。第１の実施形態に係る個人情報保護シートとは基材１０と剥離層２０との間に図柄層６０が設けられている点で相違する。ここでの図柄とは、情報表示部４０と重ね合わせた時に情報表示部４０の視認性が低下する任意の模様（迷彩パターンや地紋など）である。
【００４２】
基材１０、剥離層２０、受像層３０及び情報表示部の原料は、第１の実施形態と同様である。ただし、第２の実施形態と同様に、剥離層２０には着色顔料が含まれていないか、含まれていても微量であるため、剥離層２０は透明又は略透明である。
【００４３】
情報表示部４０を形成するインキが受像層３０に浸透して剥離層２０まで到達し、情報表示部４０’が形成された場合、情報表示部４０もろとも受像層３０を除去すると、情報表示部４０’が露出する。この際、剥離層２０は透明であるため、図８に示すように剥離層２０の下にある図柄層６０が透けて見えるようになる。これにより、情報表示部４０’によって剥離層２０上に表示される情報は判読しにくくなる。
【００４４】
なお、ここでは基材１０の上に視認性低下層５０を設けた場合を例としたが、図９に示すように図柄層６０は、剥離層２０と基材１０との間の任意の位置に設けることが可能である。ここで、剥離層２０と図柄層６０との間に層が存在する場合には、それらの層は透明でなければならない。一方、図柄層６０と基材１０との間に層が存在する場合には、それらの層は任意の色で良い。
【実施例】
【００４５】
上記第１の実施形態に係る個人情報保護シートの実施例を示す。
上質紙を基材とし、その上に剥離層の基となる混合物をオフセット印刷によって印刷して、厚さ１μｍ前後の剥離層を形成した。混合物の組成は、モノマー７０％、合成樹脂類１０％、反応開始剤１０％、剥離剤３％、着色顔料０．８％、樹脂のオフセット印刷に用いられるその他の一般的な成分が残りを占めて計１００％となるように調整した。なお、この混合物は乾燥させると濃い灰色を呈した。
さらに、剥離層の上に受像層の基となる混合物をフレキソ印刷によって印刷して、厚さ１０μｍ程度の受像層を形成した。混合物の組成は、顔料、モノマー及び合成樹脂類が合わせて２５％、反応開始剤や水などのその他の成分が７５％となるように調整した。なお、この混合物は乾燥させると薄い水色を呈した。
さらに、受像層の上に、インクジェット印刷によって情報表示部を形成し、サンプルを作成した。情報表示部は、実際には文字として印刷されることが多いが、細い線で形成された文字では明度や色相、彩度の測定が困難である。故に、情報表示部を形成するインキと同じものを用いて、測定用の数ｍｍ角のマークを別に印字し、そのマークを測定することで、情報表示部そのものの明度や色相、彩度を測定できるようにした。
【００４６】
このサンプルは、目視では、情報表示部は黒色、剥離層は濃い灰色として認識できた。また、受像層は、下地となる剥離層の色に影響されて淡い灰色として認識できた。剥離層まで浸透したインキ（情報表示部の基となるインキ）によって表示される情報は、受像層の上の情報表示部よりも読み取りにくい状態であった。
【００４７】
作成したサンプルに関して、ＪＩＳ  Ｚ  ８７３０（２００２）に基づいて、情報表示部と受像層との色差、及び情報表示部と剥離層との色差を算出した。
分光光度計として、GretagMacbeth社SpectroEyeTM（型番）３６．６４．００を用い、測定によって、情報表示部を基準とした明度差、色相差及び彩度差を得た。これを基に下記式（１）によって色差を算出した。
分光光度計の測定条件は、
測定機能：ＣＩＥ Ｌ*ａ*ｂ*
光源：Ｄ５０
観察視野：２°
白色ベース：Ａｂｓ（絶対白色）
フィルタ：なし
取得年月日：２００２年５月
である。
【００４８】
【数１】
2008290385.tif 000006
【００４９】
以上の条件での測定及び演算の結果を表４に示す。情報表示部と受像層との色差の平均は４１．８７、情報表示部と剥離層との色差の平均は４１．１８であり、（情報表示部と受像層との色差）＞（情報表示部と剥離層との色差）の関係を満たすことが確認できた。
【００５０】
【表４】
2008290385.tif 000007
【００５１】
なお、上記各実施形態は本発明の好適な実施の一例であり、本発明はこれに限定されることはない。
例えば、上記実施形態においては、受像層３０の上に情報表示部４０によって個人情報が表示されている個人情報保護シートを例としたが、情報表示部４０が表示する情報は個人情報に限定されることはなく、任意の文字、文章、図柄などを表すものであっても良い。また、剥離層と受像層とは必ずしも同じ大きさ（面積）で形成する必要はない。すなわち、剥離層の一部分にのみ受像層が積層されていても良いし、剥離層が形成されていない領域に受像層の一部がはみ出していても良い。
また、剥離層は必ずしも基材の直上に形成されている必要はなく、基材表面の凹凸が大きい（基材の表面が粗い）場合には、基材の表面に目止め層を形成し、その上に剥離層を形成しても良い。
このように、本発明は様々な変形が可能である。
【図面の簡単な説明】
【００５２】
【図１】本発明を好適に実施した第１の実施形態にかかる個人情報保護シートの構成を示す図である。
【図２】第１の実施形態における受像層が剥離除去される様子を示した図である。を示す図である。
【図３】剥離層まで浸透したインキによって表示される情報が判読困難となった状態を示す図である。
【図４】本発明を好適に実施した第２の実施形態に係る個人情報保護シートの構成を示す図である。
【図５】第２の実施形態にかかる個人情報保護シートの別の構成を示す図である。
【図６】第２の実施形態にかかる個人情報保護シートの別の構成を示す図である。
【図７】本発明を好適に実施した第３の実施形態にかかる個人情報保護シートの構成を示す図である。
【図８】図柄層によって情報の視認性が低下した状態を示す図である。
【図９】第３の実施形態にかかる個人情報保護シートの別の構成を示す図である。
【符号の説明】
【００５３】
１０    基材
２０    剥離層
３０    受像層
４０    情報表示部
５０    視認性低下層
６０    図柄層
【図１】
2008290385.tif 000008
【図２】
2008290385.tif 000009
【図３】
2008290385.tif 000010
【図４】
2008290385.tif 000011
【図５】
2008290385.tif 000012
【図６】
2008290385.tif 000013
【図７】
2008290385.tif 000014
【図８】
2008290385.tif 000015
【図９】
2008290385.tif 000016